(57)【要約】【課題】本発明の課題は、ユーザが幾種類かの省エネルギー制御を試すことができる設備制御システムを提供することにある。【解決手段】本発明に係る設備制御システム１は、複数種類の省エネルギー制御手段、表示装置、選択ダイアログ表示手段および省エネルギー制御切換手段を備える。選択ダイアログ表示手段は、複数種類の省エネルギー制御手段のいずれか１つを選択させるための選択ダイアログ５０を表示装置に表示する。省エネルギー制御切換手段は、選択ダイアログにおける選択入力に基づいて複数種類の省エネルギー制御手段を切り換える。【選択図】図２
2010019505.tif 000002
【特許請求の範囲】
【請求項１】
複数種類の省エネルギー制御手段と、
表示装置と、
前記複数種類の省エネルギー制御手段のいずれか１つを選択させるための選択ダイアログ（５０）を前記表示装置に表示する選択ダイアログ表示手段と、
前記選択ダイアログにおける選択入力に基づいて前記複数種類の省エネルギー制御手段を切り換える省エネルギー制御切換手段と
を備える設備制御システム（１）。
【請求項２】
前記省エネルギー制御切換手段は、所定の条件を満たしたときに既選択の省エネルギー制御手段から、前記選択ダイアログにおいて新たに選択された省エネルギー制御手段に切り換える
請求項１に記載の設備制御システム。
【請求項３】
前記省エネルギー制御切換手段が実行される日を設定する実行日設定手段をさらに備える
請求項１または２に記載の設備制御システム。
【発明の詳細な説明】
【技術分野】
【０００１】
本発明は、設備制御システムに関する。
【背景技術】
【０００２】
従前から様々な省エネルギー制御が提案され実現化されている（例えば、特許文献１、非特許文献１、非特許文献２参照）。通常、このような省エネルギー制御は１つの設備制御システムに対して１種のみが搭載されている。
【特許文献１】特開２００７−２１２０３８号公報
【非特許文献１】ダイキンファシリティーズ株式会社、“省エネ提案”、［online］、[平成２０年７月１日検索]、インターネット＜URL：http://www.daikin-dfc.com/business/management/solution/shoene/index.html＞
【非特許文献２】ダイキン工業株式会社、CORPORATE NEWS、“業界初の実用化  年間電気代を最大約４４％削減  ビル空調向け「遠隔省エネチューニングサービス（商品名：省エネ当番）」を開始”、［online］、［平成２０年７月１日検索］、インターネット＜URL：http://www.daikin.co.jp/press/2006/061106/index.html＞
【発明の開示】
【発明が解決しようとする課題】
【０００３】
しかし、設備制御システムのユーザが購入前のパンフレット等から実際の省エネルギー効果を具体的に把握することは難しく、そのようなユーザには、実際にいくつかの省エネルギー制御を現地で試してみたいという要望がある。
【０００４】
本発明の課題は、ユーザが幾種類かの省エネルギー制御を試すことができる設備制御システムを提供することにある。
【課題を解決するための手段】
【０００５】
第１発明に係る設備制御システムは、複数種類の省エネルギー制御手段、表示装置、選択ダイアログ表示手段および省エネルギー制御切換手段を備える。なお、ここにいう「複数種類の省エネルギー制御手段」の中には、デマンド制御も含まれる。選択ダイアログ表示手段は、複数種類の省エネルギー制御手段のいずれか１つを選択させるための選択ダイアログを表示装置に表示する。省エネルギー制御切換手段は、選択ダイアログにおける選択入力に基づいて複数種類の省エネルギー制御手段を切り換える。
【０００６】
このため、この設備制御システムでは、ユーザは幾種類かの省エネルギー制御を試すことができる。
【０００７】
第２発明に係る設備制御システムは、第１発明に係る設備制御システムであって、省エネルギー制御切換手段は、所定の条件を満たしたときに既選択の省エネルギー制御手段から、選択ダイアログにおいて新たに選択された省エネルギー制御手段に切り換える。なお、ここにいう所定の条件とは、例えば、省エネルギー制御がデマンド制御である場合、「選択入力がなされた時点におけるデマンド時限よりも１つ前のデマンド時限においてデマンド制御がかかっていないこと」且つ「切換時にデマンド制御がかかっていないこと」、又は、「選択入力がなされた時点におけるデマンド時限の終了数分前の予測電力が目標電力の９０％以下であること」などである。
【０００８】
このため、この設備制御システムでは、例えば、所定の条件をデマンド制御が正常終了するような条件に設定すれば、デマンド制御を正常終了させた後に、次の省エネルギー制御に移行することができる。
【０００９】
第３発明に係る設備制御システムは、第１発明または第２発明に係る設備制御システムであって、省エネルギー制御切換手段が実行される日を設定する実行日設定手段をさらに備える。
【００１０】
このため、この設備制御システムでは、複数種類の省エネルギー制御を計画的に切り換えることができる。
【発明の効果】
【００１１】
第１発明に係る設備制御システムでは、ユーザは幾種類かの省エネルギー制御を試すことができる。
【００１２】
第２発明に係る設備制御システムでは、例えば、所定の条件をデマンド制御が正常終了するような条件に設定すれば、デマンド制御を正常終了させた後に、次の省エネルギー制御に移行することができる。
【００１３】
第３発明に係る設備制御システムでは、複数種類の省エネルギー制御を計画的に切り換えることができる。
【発明を実施するための最良の形態】
【００１４】
本発明の実施の形態に係る空調設備制御システム１は、図１に示されるように、主に、中央サーバ装置１０、ローカルコントローラ３０および空気調和装置４０から構成されている。なお、本実施の形態において、中央サーバ装置１０は中央管理室３に設けられており、ローカルコントローラ３０および空気調和装置４０は複数の不動産物件５Ａ，５Ｂ，５Ｃ，５Ｄ，５Ｅに設けられている。また、図１から明らかなように、各不動産物件５Ａ，５Ｂ，５Ｃ，５Ｄ，５Ｅにおいて空気調和装置４０はローカルコントローラ３０に通信接続されており、ローカルコントローラ３０はインターネット回線２０を介して中央サーバ装置１０に通信接続されている。
【００１５】
以下、本実施の形態に係る空調設備制御システム１の構成についてそれぞれ詳述する。
【００１６】
（１）空気調和装置
空気調和装置４０は、図１に示されるように、マルチ式空気調和装置であって、主に、１台の室外機４１および複数台の室内機４２から構成されている。
【００１７】
（２）中央サーバ装置
中央サーバ装置１０は、遠隔地において空気調和装置４０の監視および制御を行う監視制御装置である。そして、この中央サーバ装置１０には、インターネット回線２０およびローカルコントローラ３０を介して空気調和装置４０の省エネルギー制御を行う第１遠隔省エネルギー制御機能および第２遠隔省エネルギー制御機能が搭載されている。
【００１８】
第１遠隔省エネルギー制御機能は、気象条件（気象庁アメダスデータ）や空気調和装置４０の設置状況・使用方法に応じて空気調和装置４０に対して省エネルギー運転をさせる機能であって、主に、ピーク電力低減制御機能、能力セーブ制御機能および冷媒温度制御機能から構成される。
【００１９】
ピーク電力低減制御機能では、中央サーバ装置１０が、ローカルコントローラ３０を介して常に目標電力以下になるように室外機４１の能力制御（運転電流の制限）を行って、空気調和装置４０のピーク電力を抑制し、空気調和装置４０の運転電力を低減する。
【００２０】
能力セーブ制御では、中央サーバ装置１０が、冷やし過ぎや暖め過ぎなどの無駄な運転をしている空気調和装置４０を自動で検知し、過去の運転状態や当日の気象データに基づいて能力上限値をコントロールし、空気調和装置４０に対して自動的に快適性を重視した能力セーブ運転を実行させる。
【００２１】
冷媒温度制御では、中央サーバ装置１０が、空気調和装置４０の運転状態から不動産物件５Ａ，５Ｂ，５Ｃ，５Ｄ，５Ｅの冷房負荷を自動的に判断し、当日の気象データに基づいて最適な冷媒（蒸発）温度にコントロールして、空気調和装置４０に対して最も効率のよい運転を行わせる。
【００２２】
第２遠隔省エネルギー制御機能は、気象条件（気象庁アメダスデータ）や空気調和装置４０の運転状態に応じてローカルコントローラ３０に適切なデマンド制御の設定を行う機能である。
【００２３】
（３）ローカルコントローラ
ローカルコントローラ３０は、現地にて空気調和装置４０の監視および制御を行う監視制御装置である。そして、このローカルコントローラ３０には、通常デマンド制御機能が搭載されている。
【００２４】
また、このローカルコントローラ３０には図示しないパーソナルコンピュータが通信接続されている。そして、このパーソナルコンピュータには、ローカルコントローラ３０用の設定プログラムがインストールされている。そして、このローカルコントローラ３０の設定プログラムには省エネルギー制御機能切換モジュールが含まれており、ユーザの選択により、図２に示されるような省エネルギー制御機能切換ダイアログ５０がディスプレイ（図示せず）上に表示される。
【００２５】
この省エネルギー制御機能切換ダイアログ５０には、主に、情報表示部５１や、省エネルギー制御無効化ラジオボタン５２ａ、通常デマンド制御選択ラジオボタン５２ｂ、第１遠隔省エネルギー制御選択ラジオボタン５２ｃ、第２遠隔省エネルギー制御選択ラジオボタン５２ｄ、ＯＫボタン５３およびキャンセル５４ボタンが設けられている。
【００２６】
情報表示部５１には、その時点で実行中の省エネルギー制御の種類が表示される。
【００２７】
省エネルギー制御無効化ラジオボタン５２ａは、通常デマンド制御、第１遠隔省エネルギー制御および第２遠隔省エネルギー制御の全ての省エネルギー制御を解除するために設けられている。また、通常デマンド制御選択ラジオボタン５２ｂは、通常デマンド制御以外の省エネルギー制御から通常デマンド制御に切り換えるために設けられている。また、第１遠隔省エネルギー制御選択ラジオボタン５２ｃは、第１遠隔省エネルギー制御以外の省エネルギー制御から第１遠隔省エネルギー制御に切り換えるために設けられている。また、第２遠隔省エネルギー制御選択ラジオボタン５２ｄは、第２遠隔省エネルギー制御以外の省エネルギー制御から第２遠隔省エネルギー制御に切り換えるために設けられている。そして、これらのラジオボタン５２ａ，５２ｂ，５２ｃ，５２ｄは、クリックされると、いずれか１つがアクティベート状態となる（複数がアクティベート状態とはなることはあり得ない）。なお、その時点で実行中の省エネルギー制御に対応するラジオボタン５２ａ，５２ｂ，５２ｃ，５２ｄは非表示状態とされる。
【００２８】
ＯＫボタン５３は、クリックされると、図３に示されるような確認ダイアログ６０をディスプレイ上に表示する。そして、この確認ダイアログ６０において、はいボタン６３がクリックされると、切換結果がローカルコントローラ３０の記憶部（図示せず）に記憶されて、ローカルコントローラ３０が再起動される。また、いいえボタン６４がクリックされると、確認ダイアログ６０が閉じられて、ディスプレイ上に省エネルギー制御機能切換ダイアログ５０が表示される。なお、再起動完了後は、省エネルギー制御無効化ラジオボタン５２ａがアクティベート状態とされている場合を除いてユーザにより試運転が行われる。
【００２９】
キャンセルボタン５４は、クリックされると、省エネルギー制御機能切換ダイアログ５０を閉じて、ディスプレイ上にシステム設定画面（図示せず）を表示させる。
【００３０】
なお、遠隔省エネルギー制御が通常デマンド制御に切り換えられる場合、ローカルコントローラ３０は、インターネット回線２０を介して中央サーバ装置１０に、遠隔省エネルギー制御停止要求信号を送信する。また、通常デマンド制御が遠隔省エネルギー制御に切り換えられる場合、ローカルコントローラ３０は、インターネット回線２０を介して中央サーバ装置１０に、遠隔省エネルギー制御開始要求信号を送信する。
【００３１】
また、通常デマンド制御あるいは第２遠隔省エネルギー制御が第１遠隔省エネルギー制御に切り換えられる場合、ユーザは、図示しないデマンド制御確認画面を参照しながら、「直前のデマンド時限よりも１つ前のデマンド時限においてデマンド制御がかかっていないこと」且つ「切換時にデマンド制御がかかっていないこと」、又は、「選択入力がなされた時点におけるデマンド時限の終了数分前の予測電力が目標電力の９０％以下であること」を条件として上記切換作業を行う。
【００３２】
＜空調設備制御システムの特徴＞
本実施の形態に係る空調設備制御システム１では、ローカルコントローラ３０に、複数種類の省エネルギー制御を選択することができる省エネルギー制御機能切換機能が設けられている。このため、この空調設備制御システム１では、ユーザは幾種類かの省エネルギー制御を試すことができる。
【００３３】
＜変形例＞
先の実施の形態に係る空調設備制御システム１ではローカルコントローラ３０において通常デマンド制御あるいは第２遠隔省エネルギー制御が第１遠隔省エネルギー制御に切り換えられる場合、ユーザは、図示しないデマンド制御確認画面を参照しながら、「直前のデマンド時限よりも１つ前のデマンド時限においてデマンド制御がかかっていないこと」且つ「切換時にデマンド制御がかかっていないこと」、又は、「選択入力がなされた時点におけるデマンド時限の終了数分前の予測電力が目標電力の９０％以下であること」を条件として上記切換作業を行ったが、ローカルコントローラ３０に判断部を設け上記条件を自動的に判断させてユーザに切換作業を促すようにしてもかまわない。また、かかる場合において、省エネルギー制御の切換が実行される日を設定する実行日設定部をローカルコントローラ３０又はパーソナルコンピュータに設け、省エネルギー制御の切換が自動的に実行されるようにしてもかまわない。
【産業上の利用可能性】
【００３４】
本発明に係る設備制御システムは、ユーザがデマンド制御を含む幾種類かの省エネルギー制御を試すことができるという特徴を有しており、社会の省エネルギー化に貢献することができる。
【図面の簡単な説明】
【００３５】
【図１】本発明の実施の形態に係る空調設備制御システムの概略構成図である。
【図２】本発明の実施の形態に係る空調設備制御システムを構成するパーソナルコンピュータのディスプレイに表示される省エネルギー制御機能切換ダイアログを表す図である。
【図３】本発明の実施の形態に係る空調設備制御システムを構成するパーソナルコンピュータのディスプレイに表示される省エネルギー制御機能切換ダイアログを表す図である。
【符号の説明】
【００３６】
１      空調設備制御システム（設備制御システム）
５０      省エネルギー制御機能切換ダイアログ（選択ダイアログ）
【図１】
2010019505.tif 000003
【図２】
2010019505.tif 000004
【図３】
2010019505.tif 000005